(57)【要約】【課題】  音楽データを無線通信する複数の音声再生装置間で音量設定を同期させることができる音声再生装置及び音声再生システムの音声同期方法を提供する。【解決手段】  コンテンツ情報を記憶する記憶部１８と、コンテンツ情報を無線通信で外部の機器１に送信する通信部１１と、設定音量に応じてコンテンツ情報を再生する再生部１２と、再生音量を設定するための操作信号を出力する操作部７と、操作部からの操作信号又は通信部を介して与えられる音量情報に応じて、再生部の設定音量を設定し変更すると共に、設定音量に応じた音量情報を通信部を介して外部の機器に送信するべく制御する制御部１５をもつ音声再生装置２。【選択図】図２
2007324831.tif 000002
【特許請求の範囲】
【請求項１】
コンテンツ情報を記憶する記憶部と、
前記記憶部が記憶する前記コンテンツ情報を無線通信で外部の機器に送信する通信部と、
設定音量に応じて前記コンテンツ情報を再生する再生部と、
再生音量を設定するための操作信号を出力する操作部と、
前記操作部からの前記操作信号又は前記通信部で受信する音量情報に応じて、前記再生部の前記設定音量を変更すると共に、前記設定音量に応じた音量情報を前記通信部から前記外部の機器に送信する制御部と、を具備することを特徴とする音声再生装置。
【請求項２】
前記通信部は、前記外部の機器とBluetooth（登録商標）により無線通信することを特徴とする請求項１記載の音声再生装置。
【請求項３】
前記通信部は、Bluetooth（登録商標）のＡＶＲＣＰ（Audio Video Remote Control Profile）により前記外部の機器へ前記音量情報を送信することを特徴とする請求項１記載の音声再生装置。
【請求項４】
前記通信部は、Bluetooth（登録商標）のＡ２ＤＰ（Advanced Audio Distribution Profile）により前記外部の機器へ前記コンテンツ情報を送信することを特徴とする請求項１記載の音声再生装置。
【請求項５】
前記通信部は、前記外部の機器とは異なる第２の外部の機器から音量情報を受信し、
前記制御部は、前記通信部で前記第２の外部の機器から受信する音量情報に応じて、前記再生部の設定音量を変更すると共に、設定音量に応じた音量情報を前記通信部から前記外部の機器に送信することを特徴とする請求項１記載の音声再生装置。
【請求項６】
コンテンツ情報及び音量情報を外部の機器から無線通信で受信する通信部と、
前記通信部が受信したコンテンツ情報を設定音量に応じて再生する再生部と、
前記再生部で再生した音声を出力するスピーカ部と、
前記通信部を介して与えられる音量情報に基づき、前記再生部の設定音量を変更する制御部と、を具備することを特徴とする音声再生装置。
【請求項７】
再生音量を設定するための操作信号を出力する操作部を更に備え、
前記制御部は、前記操作部からの操作信号に応じて設定音量を変更する場合に、音量情報を前記通信部から前記外部の機器に送信することを特徴とする請求項６記載の音声再生装置。
【請求項８】
前記通信部は、前記外部の機器とBluetooth（登録商標）により無線通信することを特徴とする請求項６記載の音声再生装置。
【請求項９】
前記通信部は、Bluetooth（登録商標）のＡＶＲＣＰ（Audio Video Remote Control Profile）により前記外部の機器へ音量情報を送信することを特徴とする請求項６記載の音声再生装置。
【請求項１０】
前記通信部は、Bluetooth（登録商標）のＡ２ＤＰ（Advanced Audio Distribution Profile）により前記外部の機器からコンテンツ情報を受信することを特徴とする請求項６記載の音声再生装置。
【請求項１１】
第１音声再生装置と第２音声再生装置を有し、前記第１音声再生装置及び前記第２音声再生装置の少なくともいずれか一方の装置がコンテンツ情報を記憶する記憶部を有し、他方の装置がスピーカ部を有する音声再生システムが設定音量の同期を図る音量同期方法であって、
操作部が出力する操作信号に応じて前記第１音声再生装置の設定音量を変更し、
前記操作部が出力する操作信号に応じて音量情報を前記第１音声再生装置から前記第２音声再生装置に無線通信により送信し、
前記第２音声再生装置が、前記第１の音声再生装置から受信した音量情報に応じて設定音量を変更し、
前記第１音声再生装置及び第２音声再生装置は、設定音量に応じて前記記憶部が記憶するコンテンツ情報を再生して前記スピーカ部から音声を出力することを特徴とする音量同期方法。
【請求項１２】
前記第１音声再生装置及び前記第２音声再生装置は、Bluetooth（登録商標）により無線通信することを特徴とする請求項１１記載の音量同期方法。
【請求項１３】
前記第１音声再生装置及び前記第２音声再生装置の少なくとも一方は、Bluetooth（登録商標）のＡＶＲＣＰにより無線通信することを特徴とする請求項１１記載の音量同期方法。
【請求項１４】
前記第１音声再生装置及び前記第２音声再生装置の少なくとも一方は、Bluetooth（登録商標）のＡ２ＤＰ（Advanced Audio Distribution Profile）により前記コンテンツ情報を送信することを特徴とする請求項１１記載の音量同期方法。
【請求項１５】
前記音声再生システムは、前記操作部を有する通信装置を更に備え、
前記通信装置は、前記操作部が出力する操作信号を前記第１音声再生装置に送信することを特徴とする請求項１１記載の音量同期方法。
【請求項１６】
前記第１音声再生装置は、音量情報を前記通信装置に送信し、
前記通信装置は、前記第１音声再生装置から受信した音量情報に応じて設定音量を変更することを特徴とする請求項１５記載の音量同期方法。
【発明の詳細な説明】
【技術分野】
【０００１】
この発明は、例えばBluetooth（登録商標）等の無線通信を用いた複数の音声再生装置の間で音量を同期させる音声再生装置及び音声再生システムの音声同期方法に関する。
【背景技術】
【０００２】
周知のように、無線通信を利用した電子機器が多く開発され製造されており、広範囲に利用されている。このような電子機器においては、リモートコントローラによる各種の操作情報が電子機器本体へ無線通信で供給されることで、ユーザにとっての操作性を向上させている。
【０００３】
特許文献１には、１個のリモートコントローラで遠隔制御ができ、かつ、電話と他の機能との切り替えを容易にする複合移動通信端末が紹介されている。
【特許文献１】特開平１０−９４０７０号公報
【発明の開示】
【発明が解決しようとする課題】
【０００４】
しかし、従来の特許文献１においては、単に複数の機能の切り替えをリモートコントローラで行なうだけであって、例えば、オーディオコンテンツを本体プレーヤと無線通信が可能なヘッドフォンとの間でそれぞれ再生可能な音声再生装置において、例えば、音量情報を供給するという課題を解決することについては考慮されていない。このように音量情報の同期が図られない場合は、一方の装置でユーザが音量を調節しても、その設定は他方の装置には反映されない。
【０００５】
本発明は、音楽データを無線通信する複数の音声再生装置間で音量設定を同期させることができる音声再生装置及び音声再生システムの音声同期方法を提供することを目的とする。
【課題を解決するための手段】
【０００６】
本発明は、コンテンツ情報を記憶する記憶部と、前記コンテンツ情報を無線通信で外部の機器に送信する通信部と、設定音量に応じて前記コンテンツ情報を再生する再生部と、再生音量を設定するための操作信号を出力する操作部と、前記操作部からの前記操作信号又は前記通信部を介して与えられる音量情報に応じて、前記再生部の前記設定音量を設定し変更すると共に、前記設定音量に応じた音量情報を前記通信部を介して前記外部の機器に送信するべく制御する制御部とを具備することを特徴とする音声再生装置である。
【発明の効果】
【０００７】
音楽データを無線通信する複数の音声再生装置間で音量設定を同期させることができる音声再生装置及び音声再生システムの音声同期方法を提供することができる。
【発明を実施するための最良の形態】
【０００８】
以下、この発明の実施の形態について図面を参照して詳細に説明する。  
図１は、本発明の一実施形態に係る音声再生システムの動作の一例を説明する説明図、図２は、同じくワイヤレスヘッドホンの電気的構成の一例を示すブロック図、図３は、同じくオーディオプレーヤの電気的構成の一例を示すブロック図、図４は、同じくリモートコントローラの電気的構成の一例を示すブロック図、図５は、同じくリモートコントローラで音量値変更がある場合の変更処理動作の一例を示すシーケンス図、図６は、同じくオーディオプレーヤで音量値変更がある場合の変更処理動作の一例を示すシーケンス図、図７は、同じくワイヤレスヘッドホンで音量値変更がある場合の変更処理動作の一例を示すシーケンス図、図８は、同じくオーディオプレーヤで音量値変更がある場合の変更処理動作の一例を示すシーケンス図である。
【０００９】
＜本発明の一実施形態に係る音声再生システムの一例＞
（システム構成）
初めに、本発明の一実施形態に係る音声再生システムの概要と動作を説明する。図１は、本発明の実施の一形態に関わるワイヤレスヘッドホン１とオーディオプレーヤ２とリモートコントローラ３の構成図である。
【００１０】
（ワイヤレスヘッドホンの構成）
ワイヤレスヘッドホン１は、Bluetooth（登録商標）通信機能を具備する一般的なワイヤレスヘッドホンであり、ワイヤレスヘッドホンにて再生される音量（以下、ローカル音量）を調整するための音量ボタン４と、音量表示部５と、ユーザが再生制御を行うための再生制御ボタン５−２とを有している。
【００１１】
次に、ワイヤレスヘッドホン１の電気的構成を、図２を用いて説明する。本実施形態に係るワイヤレスヘッドホン１は、例えばBluetooth（登録商標）等を利用した通信部１１と、ＳＢＣ（Sub Band Codec）、ＡＡＣ（Advanced Audio Coding）、ＭＰ３（ＭＰＥＧ−１ Audio Level−３）等の符号化方式による音声コンテンツを再生する再生部１２と、適切な音量や音質、音空間を実現するオーディオ部１３と、この出力を受けるスピーカ１４と、全体の動作を制御する制御部１５と、音量表示等を行なう表示部５と、ワイヤレスヘッドホンにて再生される音量（以下、ローカル音量）を調整するための音量ボタン４やユーザが再生制御を行うための再生制御ボタン５−２等を含む操作部４，５−２を有している。
【００１２】
（オーディオプレーヤの構成）
次に、オーディオプレーヤの電気的構成を図１及び図３を用いて説明する。本実施形態に係るオーディオプレーヤ２は、例えばBluetooth（登録商標）等を利用した通信部１１と、ＳＢＣ，ＭＰ３等の符号化方式による音楽コンテンツを再生する再生部１２と、適切な音量や音質、音空間を実現するオーディオ部１３と、全体の動作を制御する制御部１５を有している。更に、オーディオプレーヤ２は、オーディプレーヤの各種制御や音量調整をユーザに行わせるための一例として十字キーによる操作部７と、現在の楽曲情報表示等を行うための表示部６を有している。
【００１３】
（リモートコントローラの構成）
次に、リモートコントローラ３の電気的構成を、図１及び図４を用いて説明する。リモートコントローラ３は、例えばBluetooth（登録商標）等を利用した通信部１１と、全体の動作を制御する制御部１５とを有している。更に、リモートコントローラ３は、ユーザがBluetooth（登録商標）で接続されたオーディオプレーヤの再生制御を行うための再生制御ボタン８やオーディオプレーヤの音量を調整するための音量ボタン９を含む操作部８，９と、オーディオプレーヤで現在再生されている楽曲情報の表示やオーディオプレーヤの現在の音量値の表示等を行うための表示部１０を有している。
【００１４】
（各動作）
ワイヤレスヘッドホン１とオーディオプレーヤ２の間は、それぞれに搭載されたアンテナを通してBluetooth（登録商標）通信部同士で無線による接続を行い、データの送受信を行う。ここでワイヤレスヘッドホン１及びオーディオプレーヤ２は、Bluetooth（登録商標）の音声データを送信するためのプロファイルであるAdvanced Audio Distribution Profile（Ａ２ＤＰ）と、リモートコントロールのための制御信号等の転送を行なうためのプロファイルであるAudio Video Remote Control Profile（ＡＶＲＣＰ）とにより通信する。その際、オーディオプレーヤ２はＡ２ＤＰの送信側（ＳＲＣ）として機能すると共にＡＶＲＣＰのターゲット（ＴＧ）として機能する。
【００１５】
又、ワイヤレスヘッドホン１はＡ２ＤＰの受信側（ＳＮＫ）として機能すると共に、ＡＶＲＣＰのコントローラ（ＣＴ）として機能する。これにより、オーディオプレーヤ２にて再生される音楽がＡ２ＤＰによりワイヤレスヘッドホン１に送信されることでワイヤレスヘッドホン１において無線による音楽聴取が可能となる。
【００１６】
又、ワイヤレスヘッドホン１に装備されている再生制御ボタン５−２に応じた制御信号がＡＶＲＣＰによりオーディオプレーヤ２にコマンドとして送信されることで、オーディオプレーヤ２に対する各種再生制御の指示（再生、停止、一時停止、早送り、巻き戻し等）を無線によりワイヤレスヘッドホン１から行うことが可能となる。
【００１７】
又、ワイヤレスヘッドホン１はＡ２ＤＰにより受信した音楽の音量の調整を音量ボタン４の操作に連動してワイヤレスヘッドホン１のローカル音量を増加又は減少させる制御を行うことで視聴者が好きな音量を設定することが可能である。
【００１８】
又、音量ボタン４が押された際の音量アップ及び音量ダウンのコマンドがＡＶＲＣＰのコマンドとしてオーディオプレーヤ２に通知される。
【００１９】
なお、オーディオプレーヤ２から送信される音楽データは、ラインアウトから出力される音楽データ又はデジタルアウトにより出力される音楽データであり、一定音量のデータであるあるために、オーディオプレーヤ２からワイヤレスヘッドホン１に対して出力される音楽データの音量は、オーディオプレーヤ２の音量値とは連動せずに調整不可能である。
【００２０】
オーディオプレーヤ２とリモートコントローラ３の間は、それぞれに搭載されたアンテナを通してBluetooth（登録商標）通信部同士で無線による接続を行い、データの送受信を行う。ここでは、Bluetooth（登録商標）のＡＶＲＣＰによるリモートコントロールの仕組みに従って設定音量値の送受信を行う。その際、オーディオプレーヤ２はＡＶＲＣＰのターゲット（ＴＧ）として機能する。
【００２１】
又、リモートコントローラ３はＡＶＲＣＰのコントローラ（ＣＴ）として機能する。リモートコントローラ３に装備されている再生制御ボタン８による操作に応じた制御信号がＡＶＲＣＰのコマンドとしてオーディオプレーヤ２に送信される。これにより、リモートコントローラ３からオーディオプレーヤ２の各種再生制御の指示（再生、停止、一時停止、早送り、巻き戻し等）が可能となり、又、音量調整ボタン９の操作により、音量アップ、音量ダウンの信号を無線によりリモートコントローラ３からオーディオプレーヤに対して送信可能である。
【００２２】
ただし上述した通り、リモートコントローラ３からのオーディオプレーヤ２に対する音量値変更のコマンドは、オーディオプレーヤ２のローカル音量にのみ影響するものであり、Ａ２ＤＰによりワイヤレスヘッドホン１に送信されている音楽データの音量には影響が及ばない。
【００２３】
尚、本実施例の各機器は設定音量の同期を図るべく、音量設定が変更した場合に当該音量情報を通知してもらうために、ボリューム値変更通知予約コマンドを相手機器に送信する。ボリューム値変更通知予約を受信した機器は、即時的な応答として、現在の設定音量を音量情報として送信する（以下、ボリューム値変更通知予約応答１）と共に、設定音量が変化した場合には、変更後の設定音量を音量情報として送信する（以下、ボリューム値変更予約応答２）。
【００２４】
これらのボリューム値変更通知予約コマンド、及びその応答であるボリューム値変更通知予約応答１、２は、ＡＶＲＣＰのベンダーディペンデントコマンド（Vender Dependent Command）として定義されるものとする。
【００２５】
（フローチャートを用いた動作説明）
・リモートコントローラでの音量値変更操作
次に図５を用いて、リモートコントローラ３からの音量アップの指示により、オーディオプレーヤ２を経由してワイヤレスヘッドホン１の音量を変更する処理について説明する。
【００２６】
まず、ワイヤレスヘッドホン１から音量値変更通知要求コマンドが、オーディオプレーヤ２に対して発行される（Ｓ１）。これによりオーディオプレーヤ２では、図６に示す音量値変更通知応答処理が起動され、オーディオプレーヤ２からは音量値変更通知要求応答１として現在のオーディオプレーヤが保持しているオーディオプレーヤ２の現在の音量値がワイヤレスヘッドホン１に送信される（Ｓ２）。
【００２７】
この後、例えばユーザがリモートコントローラ３の音量調節ボタン９を操作し、音量アップを入力したものとする（Ｓ３）。リモートコントローラ３はこの入力に応じて、オーディオプレーヤ２の音量設定を上げるための音量アップのコマンドを、オーディオプレーヤ２に送信する（Ｓ４）。
【００２８】
オーディオプレーヤ２は、この音量アップのコマンドに応じて、保持している現在の音量設定を変化（増加）させると共に、表示部６の音量表示も変更する（Ｓ５）。さらにオーディオプレーヤ２は、Ｓ１で受信した音量値変更通知要求への応答処理により、ワイヤレスヘッドホン１に対して、音量値変更通知要求応答２として音量値をワイヤレスヘッドホン１に通知する（Ｓ６）。
【００２９】
これによりワイヤレスヘッドホン１は自身の音量設定であるローカル音量値をオーディオプレーヤ２から通知された音量値に合わせることで（Ｓ７）、結果的にリモートコントローラ３からの音量アップの制御により、間接的にワイヤレスヘッドホン１のローカル音量値を増加させることが可能となる。
【００３０】
ユーザがリモートコントローラ３の音量調整ボタン９を操作した場合には、Ｓ１以降の処理が繰り返される。
【００３１】
・オーディオプレーヤでの音量値変更処理
次に、図６のフローチャートを用いて、オーディオプレーヤ２での音量値変更通知応答処理について説明する。
【００３２】
オーディオプレーヤ２が音量値変更通知要求を受信すると（Ｓ１１）、オーディオプレーヤ２では現在の音量値を要求時の音量値として保持する（Ｓ１２）。次にオーディプレーヤ２は、Ｓ１２で保持した値を現在の音量値として音量値変更通知応答１として、音量値変更通知要求を発行した相手に返す（Ｓ１３）。
【００３３】
その後、オーディプレーヤ２では、一定間隔での監視処理等によりＳ１２で保持した要求時音量値と現在の音量値とを比較し、値に変化がないかを判断する（Ｓ１４）。ここで値に変化がないと判断された場合には再度同じ比較の判断を行う（Ｓ１４のＮＯ）。音量値に変化があると判断された場合（Ｓ１４のＹＥＳ）には、オーディプレーヤ２は変化後の音量値を音量値変更通知応答２として、音量値変更通知要求を発行した相手に返す（Ｓ１５）。
【００３４】
・ワイヤレスヘッドホンでの音量値変更操作
次に、図７のフローチャートを用いて、ワイヤレスヘッドホン１における音量制御により、オーディオプレーヤ２を経由してリモートコントローラ３に音量値が通知される処理について説明する。
【００３５】
まず、リモートコントローラ３から音量値変更通知要求コマンドがオーディオプレーヤ２に対して発行される（Ｓ２１）。これにより、リモートコントローラ３に対する音量値変更通知応答処理が起動し、オーディオプレーヤ２からは音量値変更通知要求応答１としてオーディオプレーヤ２が現在保持している音量値がリモートコントローラ３に送信される（Ｓ２２）。
【００３６】
またこれと共に、次に、ワイヤレスヘッドホン１からも音量値変更通知要求コマンドがオーディオプレーヤ２に対して発行される（Ｓ２３）。これにより、ワイヤレスヘッドホン１に対する音量値変更通知応答処理が起動し、オーディオプレーヤ２からは音量値変更通知要求応答１としてオーディオプレーヤ２が現在保持している音量値がワイヤレスヘッドホン１に送信される（Ｓ２４）。
【００３７】
その後、ユーザが音量制御ボタン４を操作が発生するワイヤレスヘッドホン１からオーディオプレーヤ２の音量を増加させるための音量アップのコマンドがＡＶＲＣＰのコマンドとして、オーディオプレーヤ２に送信される（Ｓ２６）。
【００３８】
これによりオーディオプレーヤ２は設定音量の値を増加させると共に、表示部６の音量表示を更新する（Ｓ２７）。
【００３９】
さらにオーディオプレーヤ２はこの設定音量の変化に伴い、オーディオプレーヤ２からワイヤレスヘッドホン１及びリモートコントローラ３に対して、音量変更通知要求応答２として変化した音量値を通知する（Ｓ２８、Ｓ３０）。
【００４０】
リモートコントローラ３は、音量値変更通知要求応答２を受信すると、変更後の音量値に応じて設定音量に変更すると共に、表示部１０の音量表示も変更する（Ｓ３１）。ワイヤレスヘッドホン１でも同様に、この変更後の音量値に応じて設定音量を変更すると共に、音量表示も変更する（Ｓ２９）。
【００４１】
このようにして、オーディオプレーヤ２の音量値に対して、ワイヤレスヘッドホン１のローカル音量値とリモートコントローラ３の表示部１０に表示される音量値を同期させることが可能となる。
【００４２】
その後も、ユーザがワイヤレスヘッドホン１の音量制御ボタン４を操作すると、Ｓ２１からＳ３１までの処理が繰り返される。
【００４３】
・オーディオプレーヤでの音量値変更操作
次に、図８を用いて、オーディオプレーヤ２のボタン操作により、オーディオプレーヤ２の音量値が変更された際の処理について説明する。
【００４４】
まず、リモートコントローラ３から音量値変更通知要求コマンドがオーディオプレーヤ２に対して発行される（Ｓ３１）。これにより、リモートコントローラ３に対する音量値変更通知応答処理が起動し、オーディオプレーヤ２からは音量値変更通知要求応答１としてオーディオプレーヤ２が現在保持している音量値がリモートコントローラ３に送信される（Ｓ３２）。
【００４５】
又、これと共にワイヤレスヘッドホン１からも音量値変更通知要求コマンドがオーディオプレーヤ２に対して発行される（Ｓ３３）。これにより、ワイヤレスヘッドホン１に対する音量値変更通知応答処理が起動し、オーディオプレーヤ２からは音量値変更通知要求応答１としてオーディオプレーヤ２が現在保持している音量値がワイヤレスヘッドホン１に送信される（Ｓ３４）。
【００４６】
その後、ユーザがオーディオプレーヤ２の音量ボタン７を操作し、音量アップの指示が入力されるものとする（Ｓ３５）。これによりオーディオプレーヤ２は、自身の設定音量を増加させる。また、この設定音量の変更に伴い、オーディオプレーヤ２はワイヤレスヘッドホン１に対して、増加した音量値を、音量値変更通知要求応答２として通知する（Ｓ３６）。これにより、ワイヤレスヘッドホン１では設定音量であるローカル音量値を、オーディオプレーヤ２から通知された音量値に合わせて変更する処理が行われる（Ｓ３８）。
【００４７】
又、オーディオプレーヤ２はリモートコントローラ３に対しても、音量値変更通知要求応答２として増加した音量値を通知する（Ｓ３７）。この通知された音量値を用いてリモートコントローラ３の設定音量を変更すると共に、表示部１０のオーディオプレーヤ２の音量値を表示している領域を更新する（Ｓ３９）。
【００４８】
その後も、ユーザがオーディオプレーや２の操作スイッチ７を操作して音量を変化させると、Ｓ３１からＳ３９までの処理が繰り返される。
【００４９】
その後、ユーザによるオーディオプレーヤ２の音量ボタン７の操作による音量アップの指示が発生する（Ｓ３５）。これによりオーディオプレーヤ２の現在の音量値が増加するのに伴い、オーディオプレーヤ２からワイヤレスヘッドホン１に対して音量値変更通知要求応答２として増加した音量値が、ＡＶＲＣＰのコマンドとして、ワイヤレスヘッドホン１に通知される（Ｓ３６）。これにより、ワイヤレスヘッドホン１ではローカル音量値をオーディオプレーヤ２から通知された音量値に合わせる処理が行われる（Ｓ３８）。
【００５０】
又、オーディオプレーヤ２からリモートコントローラ３に対しても音量値変更通知要求応答２として、ＡＶＲＣＰのベンダーディペンデントコマンドとして、増加した音量値が通知される。この通知された音量値を用いてリモートコントローラ３の表示部１０のオーディオプレーヤ２の音量値を表示している領域を更新する（Ｓ３７）。
【００５１】
これにより、リモートコントローラ３においては、変更後の音量情報を設定音量に変更すると共に、音量表示もこれに変更する（Ｓ３９）。
【００５２】
このようにして、オーディオプレーヤ２の音量値に対して、ワイヤレスヘッドホン１のローカル音量値とリモートコントローラ３の表示部１０に表示される音量値を同期させることが可能となる。
【００５３】
その後も、ユーザがオーディオプレーや２の操作スイッチ７を操作して音量を変化させると、Ｓ３１からＳ３９までの処理が繰り返される。
【００５４】
なお、ここまで説明した実施形態ではワイヤレスヘッドホン１とオーディオプレーヤ２とリモートコントローラ３の３つの装置が同時に接続している場合を挙げたが、ワイヤレスヘッドホン１とオーディオプレーヤ２だけが接続している場合や、オーディオプレーヤ２とリモートコントローラ３だけが接続している場合にも、同様に、音量値変更通知応答処理により２つの装置間での音量値を同期させることが可能であるため好適である。
【００５５】
以上のように、本実施形態に係るオーディオシステムにおいては、上述した例えばＡＶＲＣＰのベンダーディペンデントコマンド等を利用した音量同期機能によって、直接無線のリンクを張ることなく直接接続していない機器の音量をコントロールし、又、音量値を同期することが可能となるため、装置の利便性を高めることができる。
【００５６】
同様に、ＡＶＲＣＰのベンダーディペンデントコマンド等を利用した音量同期機能によって、オーディオプレーヤ２から常に一定の音量で送信されてくる音楽データをあたかもオーディオプレーヤ２の音量設定を変更したかのように振舞って、ワイヤレスヘッドホン１のローカル音量を変更することが可能となる。
【００５７】
同様に、ワイヤレスヘッドホン１とリモートコントローラ３が直接無線のリンクを張ることなく音量値の同期が可能となり、新たにワイヤレスヘッドホン１とリモートコントローラ３との間でリンクを張った場合に発生する通信レートの低下に伴う音飛び等の音声品質の劣化を防ぐことが可能となる。
【００５８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５９】
【図１】本発明の一実施形態に係る音声再生システムの動作の一例を説明する説明図。
【図２】本発明の一実施形態に係るワイヤレスヘッドホンの電気的構成の一例を示すブロック図。
【図３】本発明の一実施形態に係るオーディオプレーヤの電気的構成の一例を示すブロック図。
【図４】本発明の一実施形態に係るリモートコントローラの電気的構成の一例を示すブロック図。
【図５】本発明の一実施形態に係るリモートコントローラで音量値変更がある場合の変更処理動作の一例を示すシーケンス図。
【図６】本発明の一実施形態に係るオーディオプレーヤで音量値変更がある場合の変更処理動作の一例を示すシーケンス図。
【図７】本発明の一実施形態に係るワイヤレスヘッドホンで音量値変更がある場合の変更処理動作の一例を示すシーケンス図。
【図８】本発明の一実施形態に係るオーディオプレーヤで音量値変更がある場合の変更処理動作の一例を示すシーケンス図。
【符号の説明】
【００６０】
１…ワイヤレスヘッドホン、２…オーディオプレーヤ、３…リモートコントローラ、４…音量ボタン、５…音量インジケータ、６…ディスプレイ、７…操作スイッチ、８…操作ボタン、９…音量ボタン、１０…ディスプレイ。
【図１】
2007324831.tif 000003
【図２】
2007324831.tif 000004
【図３】
2007324831.tif 000005
【図４】
2007324831.tif 000006
【図５】
2007324831.tif 000007
【図６】
2007324831.tif 000008
【図７】
2007324831.tif 000009
【図８】
2007324831.tif 000010